(57)【要約】【課題】書物を強固に装着するブックカバーを提供すること。【解決手段】本発明のブックカバー１０は、本２０を覆う横長形状のブックカバー本体１１と、ブックカバー本体１１の一方の端部側に設けられ本２０の一方の表裏表紙２１が挿入される袋部１３と、ブックカバー本体１１の他方の端部側に設けられ本１１の他方の表裏表紙２２を固定する複数のバンド部１２ａ、１２ｂとを備えることとした。【選択図】図１
2011224794.tif 000002
【特許請求の範囲】
【請求項１】
書物を覆う横長形状のブックカバー本体と、前記ブックカバー本体の一方の端部側に設けられ前記書物の一方の表裏表紙が挿入される袋部と、前記ブックカバー本体の他方の端部側に設けられ前記書物の他方の表裏表紙を固定する複数のバンド部とを備えることを特徴とするブックカバー。
【請求項２】
前記袋部より内側の前記一方の端部側の外側に対向して形成され、外側から折り曲げられたとき連結可能の一対の連結バンドで構成され、多目的の使用が可能の多目的バンドを設けることを特徴とする請求項１に記載のブックカバー。
【請求項３】
前記多目的バンドは、前記一対の連結バンドを互いに連結する面ファスナを設けることを特徴とする請求項２に記載のブックカバー。
【請求項４】
前記多目的バンドは、前記一対の連結バンドのそれぞれに互いに連結する切込みを設けることを特徴とする請求項２に記載のブックカバー。
【発明の詳細な説明】
【技術分野】
【０００１】
本発明は、書物を強固に装着するブックカバーに関する。
【背景技術】
【０００２】
従来のブックカバーには、書物の表紙側を止めるための袋部が一方の端部側に設けられ、他方の端部側には裏表紙を止めるためのバンドなどが設けられたものがある（例えば、特許文献１参照）。
【０００３】
しかしながら、従来のブックカバーは、書物には様々の厚さや幅があるため、装着状況が不安定で装着した書物からはずれる可能性があった。
【先行技術文献】
【特許文献】
【０００４】
【特許文献１】実用新案登録第３０７９９６９号公報
【発明の概要】
【発明が解決しようとする課題】
【０００５】
本発明は、上記の問題に鑑みてなされたものであって、書物を強固に装着するブックカバーを提供することを目的とする。
【課題を解決するための手段】
【０００６】
本発明のブックカバーは、書物を覆う横長形状のブックカバー本体と、前記ブックカバー本体の一方の端部側に設けられ前記書物の一方の表裏表紙が挿入される袋部と、前記ブックカバー本体の他方の端部側に設けられ前記書物の他方の表裏表紙を固定する複数のバンド部とを備えることとした。
【０００７】
また、前記袋部より内側の前記一方の端部側の外側に対向して形成され、外側から折り曲げられたとき連結可能の一対の連結バンドで構成され、多目的の使用が可能の多目的バンドを設けることとした。
【０００８】
また、前記多目的バンドは、前記一対の連結バンドのそれぞれに互いに連結する切込みを設けることとした。
【０００９】
さらに、前記多目的バンドは、前記一対の連結バンドを互いに連結する面ファスナを設けることとした。
【発明の効果】
【００１０】
本発明のブックカバーは、書物を覆う横長形状のブックカバー本体と、前記ブックカバー本体の一方の端部側に設けられ前記書物の一方の表裏表紙が挿入される袋部と、前記ブックカバー本体の他方の端部側に設けられ前記書物の他方の表裏表紙を固定する複数のバンド部とを備えることとしたため、書物を強固に装着することができる。
【００１１】
また、前記袋部より内側の前記一方の端部側の外側に対向して形成され、外側から折り曲げられたとき連結可能の一対の連結バンドで構成され、多目的の使用が可能の多目的バンドを設けることとしたため、書物をより強固に装着することができる。
【００１２】
また、前記多目的バンドは、前記一対の連結バンドのそれぞれに互いに連結する切込みを設けることとしたため、一対の連結バンドを簡潔構成で互いに連結することができる。
【００１３】
さらに、前記多目的バンドは、前記一対の連結バンドを互いに連結する面ファスナを設けることとしたため、一対の連結バンドを強固の互いに連結することができる。
【図面の簡単な説明】
【００１４】
【図１】本発明の実施の形態のブックカバーの図を示し、図１（ａ）は、ブックカバーの平面図を示し、図１（ｂ）は、ブックカバーの側面図を示す。
【図２】本発明の実施の形態のブックカバーに厚手の本を装着したときの図を示し、図２（ａ）は、厚手の本を装着したときの平面図を示し、図２（ｂ）は、厚手の本を装着したときの側面図を示す。
【図３】本発明の実施の形態のブックカバーに薄手の本を装着したときの図を示し、図３（ａ）は、薄手の本を装着したときの平面図を示し、図３（ｂ）は、薄手の本を装着したときの側面図を示す。
【図４】本発明の実施の形態のブックカバーに設ける多目的バンドが本の頁を固定するときの平面図を示す。
【図５】本発明の実施の形態のブックカバーに設ける切込み方式の多目的バンドの平面図を示す。
【図６】本発明の実施の形態のブックカバーに設ける多目的バンドがブックカバーの外側を固定するときの斜視図を示す。
【発明を実施するための形態】
【００１５】
以下、本発明の実施の形態のブックカバーにつき説明する。
【実施例１】
【００１６】
図１は、本発明の実施の形態のブックカバーの図を示し、図１（ａ）は、ブックカバーの平面図を示し、図１（ｂ）は、ブックカバーの側面図を示す。
【００１７】
図１（ａ）、（ｂ）に示すように、本発明の実施の形態のブックカバー１０は、本を覆う横長形状のブックカバー本体１１と、ブックカバー本体１１の一方の端部側である右側に設けられ本の表裏表紙が挿入される袋部１３と、ブックカバー本体１１の他方の端部側である左側に設けられ本の表裏表紙を固定するバンド部１２ａ、１２ｂと、ブックカバー本体１１の右側の袋部１３より内側の位置から縦方向の上下の外側にそれぞれ形成された一対の連結バンド１４ａ、１４ｂからなる多目的バンド１４とで形成されている。
【００１８】
バンド部１２ａ、１２ｂは、ブックカバー本体１１の左側の縦方向の上下の端部間に並列して設けられ、本の表裏表紙が挿入されたとき、折り返えされた端部１１ａがバンド部１２ａ、１２ｂと本の表裏表紙との隙間に挿入され、本の表裏表紙を固定することができる。
【００１９】
多目的バンド１４は、一対の連結バンド１４ａ、１４ｂを互いに連結し、本の表裏表紙を固定することができる。連結バンド１４ａには先端側の表側に面ファスナ１５ａが張付けられ、連結バンド１４ｂには先端側の裏側に面ファスナ１５ｂが張付けられ、一対の連結バンド１４ａ、１４ｂ同士がそれぞれ内側に向け折曲げられ重ね合わされたとき、面ファスナ１５ａ、１５ｂ同士が結合し本２０の表裏表紙２１を固定することができる。
【００２０】
なお、ブックカバー１０は、本に限らず手帳、メモ帳、日誌などを含めた書物用として使用することができる。
【００２１】
また、連結バンド１４ａ、１４ｂは、図５に示す切込の形成や、磁石の取付などによっても連結することができる。
【００２２】
さらに、ブックカバー１０は、横長形状にかぎらず縦長形状にすることもできる。
【００２３】
図２は、本発明の実施の形態のブックカバーに厚手の本を装着したときの図を示し、図２（ａ）は、厚手の本を装着したときの平面図を示し、図２（ｂ）は、厚手の本を装着したときの側面図を示す。
【００２４】
図２（ａ）、（ｂ）に示すように、本発明の実施の形態のブックカバー１０に厚手の本２０を装着するときには、本体２３の表裏表紙２１がブックカバー本体１１の右側に設けられた袋部１３に挿入されて装着される。また、本体２３の表裏表紙２２が左側に設けられたブックカバー本体１１のバンド部１２ａ、１２ｂに挿入されたとき、ブックカバー本体１１の端部１１ａが折り返えされバンド部１２ａと表裏表紙２２との隙間に挿入されてから、バンド部１２ｂと表裏表紙２２との隙間に挿入され表裏表紙２２が固定される。さらに、表裏表紙２１がブックカバー本体１１の袋部１３に装着され、表裏表紙２２がブックカバー本体１１のバンド部１２ａ、１２ｂに挿入され端部１１ａが折り返えされバンド部１２ａと表裏表紙２２との隙間に挿入されたとき、多目的バンド１４の一対の連結バンド１４ａ、１４ｂ同士がそれぞれ内側に向け折曲げられ重ね合わされ、面ファスナ１５ａ、１５ｂ同士が結合し本２０の表裏表紙２１を固定することができる。
【００２５】
従って、ブックカバー１０に厚手の本２０を装着するときには、表裏表紙２１が袋部１３と、多目的バンド１４の一対の連結バンド１４ａ、１４ｂとにより固定され、表裏表紙２２がバンド部１２ａ、１２ｂにより固定され、厚手の本２０を全体的にも強固に装着することができる。
【００２６】
なお、厚手の本２０に限らず横幅が広めの本にも同様にして使用することができる。
【００２７】
図３は、本発明の実施の形態のブックカバーに薄手の本を装着したときの図を示し、図３（ａ）は、薄手の本を装着したときの平面図を示し、図３（ｂ）は、薄手の本を装着したときの側面図を示す。
【００２８】
図３（ａ）、（ｂ）に示すように、本発明の実施の形態のブックカバー１０に薄手の本３０を装着するときには、本体３３の表裏表紙３１がブックカバー本体１１の右側に設けられた袋部１３に挿入されて装着される。また、本体３３の表裏表紙紙３２が左側に設けられたブックカバー本体１１のバンド部１２ａ、１２ｂに挿入されたとき、ブックカバー本体１１の端部１１ａが折り返えされ、バンド部１２ｂと表裏表紙３２との隙間に挿入され表裏表紙３２が固定される。さらに、表裏表紙３１がブックカバー本体１１の袋部１３に装着され、表裏表紙３２がブックカバー本体１１のバンド部１２ａ、１２ｂに挿入され端部１１ａが折り返えされ、バンド部１２ｂと表裏表紙３２との隙間に挿入されたとき、多目的バンド１４の一対の連結バンド１４ａ、１４ｂ同士がそれぞれ内側に向け折曲げられ重ね合わされ、面ファスナ１５ａ、１５ｂ同士が結合し本３０の表裏表紙３１を固定することができる。
【００２９】
ブックカバー１０に薄手の本３０を装着するときには、折り返えされた端部１１ａの先端がバンド部１２ｂの内側の位置にくるため、この場合、折り返えされた端部１１ａをバンド部１２ｂと表裏表紙３２との隙間に挿入して装着作業を容易にすることができる。なお、折り返えされた端部１１ａをバンド部１２ａ、１２ｂに挿入することもできる。
【００３０】
従って、ブックカバー１０に薄手の本３０を装着するときには、より容易の装着作業で表裏表紙を全体的にも強固に固定することができる。
【００３１】
なお、薄手の本３０に限らず横幅が狭めの本にも同様にして使用することができる。
【００３２】
図４は、本発明の実施の形態のブックカバーに設ける多目的バンドが本の頁を固定するときの平面図を示す。
【００３３】
図４に示すように、本発明の実施の形態のブックカバー１０に本４０を装着するときには、本体４３の表裏表紙４１がブックカバー本体１１の右側に設けられた袋部１３に挿入されて装着される。また、本体４３の表裏表紙４２が左側に設けられたブックカバー本体１１のバンド部１２ａ、１２ｂに挿入されたとき、ブックカバー本体１１の端部１１ａが折り返えされバンド部１２ａと表裏表紙４２との隙間に挿入されてから、バンド部１２ｂと表裏表紙４２との隙間に挿入され表裏表紙４２が固定される。
【００３４】
さらに、表裏表紙４１がブックカバー本体１１の袋部１３に装着され、表裏表紙４２がブックカバー本体１１のバンド部１２ａ、１２ｂに挿入され端部１１ａが折り返えされバンド部１２ａ、１２ｂと表裏表紙４２との隙間に挿入されたとき、多目的バンド１４の一対の連結バンド１４ａ、１４ｂ同士がそれぞれ内側に向け折曲げられ重ね合わされ、面ファスナ１５ａ、１５ｂ同士を結合させ、表裏表紙４１と共に文字４４ａが書かれた頁４４を固定することができる。
【００３５】
従って、ブックカバー１０に本４０を装着するときには、多目的バンド１４により表裏表紙４１と共に文字４４ａが書かれた頁４４を固定することができる。多目的バンド１４は、文字４４ａが書かれためくった頁４４を固定することにより、しおりとして使用することができ、また、連結バンド１４ａ、１４ｂ同士を連結させず、しおりとして使用することもできる。
【００３６】
図５は、本発明の実施の形態のブックカバーに設ける切込方式の多目的バンドの平面図を示す。
【００３７】
切込方式の多目的バンド５４は、一対の連結バンド５４ａ、５４ｂを切込５６ａ、５６ｂにより互いに連結し、本の表裏表紙を固定することができる。連結バンド５４ａには切込５６ａが複数並列に形成され、連結バンド５４ｂには切込５６ｂが複数並列に形成されている。一対の連結バンド５４ａ、５４同士は、切込５６ａ、５６ｂがはめ合わされて互いに連結し、本の表裏表紙を固定することができる。
【００３８】
図６は、本発明の実施の形態のブックカバーに設ける多目的バンドがブックカバーの外側を固定するときの斜視図を示す。
【００３９】
ブックカバー１０に設けられる多目的バンド１４は、一対の連結バンド１４ａ、１４ｂを互いに連結し、本が装着されたブックカバーの外側を固定することができる。そのため、本の開閉を防止し持ち運びを容易とすることができる。
【産業上の利用可能性】
【００４０】
本発明のブックカバーは、本に限らず前記した手帳、メモ帳、日誌などにも使用できるとともに、開閉可能のものにも適用することができる。
【符号の説明】
【００４１】
１０  ブックカバー
１１  ブックカバー本体
１１ａ  端部
１２ａ、１２ｂ  バンド部
１３  袋部
１４  多目的バンド
１４ａ、１４ｂ、５４ａ、５４ｂ  連結バンド
１５ａ、１５ｂ  面ファスナ
２０、３０、４０  本
２１、２２、３１、３２、４１、４２  表裏表紙
【図１】
2011224794.tif 000003
【図２】
2011224794.tif 000004
【図３】
2011224794.tif 000005
【図４】
2011224794.tif 000006
【図５】
2011224794.tif 000007
【図６】
2011224794.tif 000008